(57)【要約】      （修正有）【課題】  釣銭の払い出し時点での識別装置が不要であり、簡単な構成で、しかも、釣銭の要求に対しては、要求のある遊技媒体貸機に最も近い紙幣から順次払い出されるのですばやく対応することができ、しかも、紙幣搬送装置は、紙幣を起立状態で搬送させる構成のため遊技機島の薄型化が可能となり、店舗運営上有利である。【解決手段】    紙幣処理装置を介して前方から起立状態で送り込まれた小額紙幣を起立状態で長手方向に方向転換した後に遊技機島端部に配設した収納金庫に搬送する収納搬送経路と、前記収納金庫に収納された小額紙幣を釣銭として搬送する釣銭搬送経路を有する紙幣搬送装置と、前記搬送経路から搬入された小額紙幣を収納するとともに釣銭搬送経路に排出する収納金庫と、前記遊技者の釣銭要求に応じて前記釣銭搬送経路内を搬送中の小額紙幣を釣銭払い戻し通路へ導出する切り換え機構を備えたものである。【選択図】図４
2007207209.tif 000002
【特許請求の範囲】
【請求項１】
複数の遊技機の間に配設された遊技媒体貸機と、投入された紙幣を識別収納する紙幣処理装置と、前記紙幣処理装置を介して送り込まれた紙幣を搬送収納するとともに釣銭として小額紙幣を遊技者に払い戻すことができる紙幣搬送装置とを備えた紙幣搬送システムにおいて、
前記紙幣搬送システムは、
投入された紙幣の真贋と金種を識別する識別部と、前記識別部によって識別された紙幣の内高額紙幣を収納する収納ボックスを備えた紙幣処理装置と、
前記紙幣処理装置を介して前方から起立状態で送り込まれた小額紙幣を起立状態で長手方向に方向転換して釣銭として遊技者に払い戻すために前記小額紙幣を搬送する紙幣搬送装置とを備え、
前記紙幣搬送装置は、前記前記紙幣処理装置を介して投入された小額紙幣を遊技機島端部に配設した収納金庫に搬送する収納搬送経路と、前記収納金庫を介して釣銭払い戻し通路に搬送する釣銭搬送経路とを有する紙幣搬送機構と、
前記収納搬送経路から搬入された小額紙幣を一時貯溜するとともに前記釣銭搬送経路に排出する収納金庫と、
前記釣銭搬送経路で搬送された小額紙幣を遊技者に払い戻す釣銭払い戻し通路と、
前記遊技者の釣銭要求に応じて前記釣銭搬送経路内を搬送中の小額紙幣を釣銭払い戻し通路へ導出する切り換え機構を備えた、
ことを特徴とする紙幣搬送システム。
【請求項２】
前記収納金庫は、前記搬送経路と連通する搬入機構と、
前記釣銭搬送経路と連通する排出機構と、
前記搬入機構に取り込まれた小額紙幣をスタッカに一時集積した後に排出機構に移動する移動機構とを備えた
ことを特徴とする紙幣搬送システム。
【請求項３】
前記紙幣搬送装置は、前記紙幣処理装置から小額紙幣が搬入された時点と遊技者から釣銭の要求があった時点のいずれかの一方の指令により稼動するとともに、
前記小額紙幣が搬入による稼動時には、排出機構からの小額紙幣の排出を停止した
ことを特徴とする請求項１項および２項のいずれかに記載の紙幣搬送システム。
【請求項４】
前記遊技者から釣銭の要求は、収納搬送経路内の小額紙幣と収納ボックス内の小額紙幣との合計と対比した後に、前記収納搬送経路内の小額紙幣を優先して排出機構から釣銭搬送経路を介して払いだした
ことを特徴とする請求項１項乃至３項のいずれかに記載の紙幣搬送システム。
【発明の詳細な説明】
【技術分野】
【０００１】  本発明は、複数の遊技機の間に配設された遊技媒体貸機と、該遊技媒体貸機に内設、または遊技媒体貸機と独立して設けられた紙幣処理装置と、その紙幣処理装置を介して投入された紙幣を搬送する紙幣搬送装置とを備えた紙幣搬送システム、特に高額紙幣に対する釣銭を払い戻すことが可能な紙幣搬送システムに関する。
【背景技術】
【０００２】  一般にパチンコやスロットなどのゲームを行なう遊技場では、遊技者が好みの遊技機から離れずに、遊技媒体を借りることができるように、隣り合う遊技機と遊技機の間に遊技媒体貸機を配設している。そして、このような遊技機と遊技機の間に遊技媒体貸機を配設したタイプの装置の多くは、投入された紙幣の真贋を識別するための紙幣処理装置を遊技媒体貸機に内設したり、遊技媒体貸機とは別に独立して設けたりしている。そして、この紙幣処理装置から投入された紙幣を回収保管するために設けた紙幣搬送機構とを組合せて紙幣搬送システムを構成している。更に、最近では、この紙幣搬送システムに、高額紙幣にも適応できるように遊技者へ釣銭を払出すための機構が付加されるようになってきている。【０００３】  例えば、特開２００１−５４６７５に開示されているシステムでは、各遊技媒体貸出機に、釣銭用の貨幣を収納する釣銭収納部と、釣銭収納部の釣銭が不足したときに、遊技者から投入された複数の金種の貨幣を混在させて搬送しているところの搬送路を有する貨幣搬送機構から、釣銭用の貨幣を選択して取り込んで、該紙幣を釣銭収納部に搬送収納するための貨幣取込機構とを備えている。
【特許文献１】  特開２００１−５４６７５公報
【発明の開示】
【発明が解決しようとする課題】
【０００４】  しかしながら、上述した技術は、各遊技媒体貸出機に釣銭用の貨幣を含めて紙幣の真贋と金種を識別する装置（紙幣判別器）を設けるとともに、一旦収納した金庫から釣銭用の貨幣を貨幣搬送機構に送り込むために設けた金種を識別する装置（紙幣判別器）ならびに釣銭用の貨幣を複数の金種の貨幣から選択して取り込むための識別装置（紙幣判別器）が必要となるなどシステムが複雑となりコストアップの要因となっている。更に、貨幣搬送機構には常時複数の金種の貨幣が混在されて搬送されているため釣銭が要求されたときに釣銭を連続して送り出すことが困難であり、該要求にすばやく対応することができない場合や全体の貨幣に対して貨幣搬送機構内部に存在する釣銭用の貨幣の割合が少ない時などに多量の釣銭が要求されると直ちに対応することが困難となる恐れが有った。また、閉店時などで貨幣搬送機構内の紙幣を回収する場合に識別・分別という工程が必要となり回収時間が多くかかると言う問題もあった。更に、このシステムにあっては、貨幣搬送機構を各遊技媒体貸出機の間を水平方向に循環させる構造のため、システムを薄型（奥行を浅くする。）化することが困難で店舗運営上不利であった。【０００５】  本発明は、上述した従来技術における問題点を解決するためになされたもので、複数の遊技機の間に配設された遊技媒体貸機と、投入された紙幣を識別収納する紙幣処理装置と、前記紙幣処理装置を介して送り込まれた紙幣を搬送収納するとともに釣銭として小額紙幣を遊技者に払い戻すことができる紙幣搬送装置とを備えた紙幣搬送システムにおいて、
前記紙幣搬送システムは、投入された紙幣の真贋と金種を識別する識別部と、前記識別部によって識別された紙幣の内高額紙幣を収納する収納ボックスを備えた紙幣処理装置と、
前記紙幣処理装置を介して前方から起立状態で送り込まれた小額紙幣を起立状態で長手方向に方向転換した後に遊技機島端部に配設した収納金庫に搬送する収納搬送経路と、前記収納金庫に収納された小額紙幣を釣銭として搬送する釣銭搬送経路を有する紙幣搬送装置と、前記搬送経路から搬入された小額紙幣を収納するとともに釣銭搬送経路に排出する収納金庫と、前記釣銭搬送経路で搬送された小額紙幣を遊技者に払い戻す釣銭払い戻し通路と、前記遊技者の釣銭要求に応じて前記釣銭搬送経路内を搬送中の小額紙幣を釣銭払い戻し通路へ導出する切り換え機構を備えることによって、釣銭の払い出し時点での識別装置が不要であり、簡単な構成で、しかも、釣銭の要求に対しては、要求のある遊技機、遊技媒体貸機に最も近い紙幣から順次払い出されるのですばやく対応することができ、しかも、紙幣搬送装置は、紙幣を起立状態で搬送させる構成のため遊技機島の薄型化が可能となり、店舗運営上有利である。更に、閉店時などで紙幣搬送装置内の紙幣を回収する場合にも識別・分別という工程が不要となり回収時間が短縮されるなどの効果を有する紙幣搬送システムを提供することを目的とする。
【課題を解決するための手段】
【０００６】  上述した従来技術の問題点を解決するために、本発明は、複数の遊技機の間に配設された遊技媒体貸機と、投入された紙幣を識別収納する紙幣処理装置と、前記紙幣処理装置を介して送り込まれた紙幣を搬送収納するとともに釣銭として小額紙幣を遊技者に払い戻すことができる紙幣搬送装置とを備えた紙幣搬送システムにおいて、前記紙幣搬送システムは、投入された紙幣の真贋と金種を識別する識別部と、前記識別部によって識別された紙幣の内高額紙幣を収納する収納ボックスを備えた紙幣処理装置と、前記紙幣処理装置を介して前方から起立状態で送り込まれた小額紙幣を起立状態で長手方向に方向転換した後に遊技機島端部に配設した収納金庫に搬送する収納搬送経路と、前記収納金庫に収納された小額紙幣を釣銭として搬送する釣銭搬送経路を有する紙幣搬送装置と、前記搬送経路から搬入された小額紙幣を収納するとともに釣銭搬送経路に排出する収納金庫と、前記釣銭搬送経路で搬送された小額紙幣を遊技者に払い戻す釣銭払い戻し通路と、前記遊技者の釣銭要求に応じて前記釣銭搬送経路内を搬送中の小額紙幣を釣銭払い戻し通路へ導出する切り換え機構を備えたものである。【０００７】  上記のように構成することにより、釣銭の要求に対しては、要求のある遊技機、遊技媒体貸機に最も近い紙幣から順次払い出されるのですばやく対応することができ、しかも、紙幣搬送装置は、紙幣を起立状で搬送させる構成のため遊技機島の薄型化が可能となり、店舗運営上有利である。かつ、釣銭の払い出しの対象となっている遊技媒体貸機とは別の遊技媒体貸機への紙幣投入を阻害することもない。更に、閉店時などで釣銭搬送機構内の紙幣を回収する場合にも紙幣の識別・分別という工程が不要となり回収時間が短縮される。【０００８】  次の発明は、前記収納金庫は、前記収納搬送経路と連通する搬入機構と、前記釣銭搬送経路と連通する排出機構と、前記搬入機構に取り込まれた小額紙幣をスタッカに一時集積した後に排出機構に移動する移動機構とを備えたものである。【０００９】  上記のように構成することにより、収納搬送経路から搬入された小額紙幣をスタッカに集積し、釣銭の要求により小額紙幣を排出機構より紙幣搬送機構の下側の釣銭搬送経路に排出することにより紙幣搬送機構を有効利用できる。【００１０】  次の発明は、前記紙幣搬送装置は、前記紙幣処理装置から小額紙幣が搬入された時点と遊技者から釣銭の要求があった時点のいずれかの一方の指令により稼動するとともに、前記小額紙幣が搬入による稼動時には、排出機構からの小額紙幣の排出を停止したものである。【００１１】  上記のように構成することにより、遊技者が投入した小額紙幣を収納金庫に収納するために紙幣搬送機構を稼動させたときに釣銭用の小額紙幣が釣銭搬送経路に排出され紙幣詰まりを起こすようなことがない。【００１２】  次の発明は、前記遊技者から釣銭の要求は、収納搬送経路内の小額紙幣と収納ボックス内の小額紙幣との合計と対比した後に、前記収納搬送経路内の小額紙幣を優先して排出機構から釣銭搬送経路を介して払いだしたものである。【００１３】  上記のように構成することにより、遊技者への釣銭払い出し中でも紙幣処理装置から収納搬送経路内に小額紙幣��搬送することができ、釣銭払い出し中に紙幣搬送装置を一旦停止させる必要がなく効率的に小額紙幣の搬送、収納、排出が可能となる。
【発明の効果】
【００１４】  前記紙幣搬送システムは、投入された紙幣の真贋と金種を識別する識別部と、前記識別部によって識別された紙幣の内高額紙幣を収納する収納ボックスを備えた紙幣処理装置と、前記紙幣処理装置を介して前方から起立状態で送り込まれた小額紙幣を起立状態で長手方向に方向転換した後に遊技機島端部に配設した収納金庫に搬送する収納搬送経路と、前記収納金庫に収納された小額紙幣を釣銭として搬送する釣銭搬送経路を有する紙幣搬送装置と、前記搬送経路から搬入された小額紙幣を収納するとともに釣銭搬送経路に排出する収納金庫と、前記釣銭搬送経路で搬送された小額紙幣を遊技者に払い戻す釣銭払い戻し通路と、前記遊技者の釣銭要求に応じて前記釣銭搬送経路内を搬送中の小額紙幣を釣銭払い戻し通路へ導出する切り換え機構を備えることによって、釣銭の払い出し時点での識別装置が不要であり、簡単な構成で、しかも、釣銭の要求に対しては、要求のある遊技機、遊技媒体貸機に最も近い紙幣から順次払い出されるのですばやく対応することができ、しかも、紙幣搬送装置は、紙幣を起立状態で搬送させる構成のため遊技機島の薄型化が可能となり、店舗運営上有利である。更に、閉店時などで紙幣搬送装置内の紙幣を回収する場合にも識別・分別という工程が不要となり回収時間が短縮される。
【発明を実施するための最良の形態】
【００１５】  図１は、本発明の紙幣搬送システムを示した正面図、図２は、同平面図、図３は、同要部拡大平面図、図４は、収納金庫の要部縦断面図、図５は、同正面図、図６は、紙幣処理装置を示した概略水平方向断面図、図７は、スタッカを示した概略断面図、図８は、遊技媒体貸機を示した正面図、図９は、本発明の作動手順を示したフローチャートである。【００１６】  本発明の紙幣搬送システム１００は、図１に示すように、複数の遊技機１０と各遊技機１０の間に配設された遊技媒体貸機２０とよりなる遊技機島の上方に架設されている。一般的には、遊技機島は、互いの裏面が対向するように二つの島単位で構成されているが、壁側に配設されている遊技機島等のように一つ島で構成されるものもある。そして、該紙幣搬送システム１００は、前述の遊技媒体貸機２０と紙幣処理装置３０と紙幣搬送装置４０ならびに収納金庫５０とより構成されている。【００１７】  遊技媒体貸機２０は、図８に示すように、公知の遊技媒体貸機の機能に加え、高額紙幣対応として、貸出ボタン２１と、精算ボタン２２ならびに貸出枚数、売上、異常表示などを随時表示する共通表示部２３と、残額表示部２４とが設けられている。尚、２５は、メダルの払出ノズルである。【００１８】  紙幣処理装置３０は、図１に示すように、遊技媒体貸機２０の上方で前述した遊技機島の枠体に一体的に配設されている。また、この紙幣処理装置３０の下側には、紙幣搬送装置４０の釣銭払い戻し通路４６が形成されている。【００１９】  紙幣処理装置３０は、図６に詳述するように、（遊技機島取り付け状態基準で紙面上方が遊技機１０の裏面方向である）。筐体３１の側部に開閉蓋３１ａを設け、その開閉蓋３１ａと収納ボックス３４の間に紙幣搬送路３２を形成し、該紙幣搬送路３２に識別部３３を配設するとともに該紙幣搬送路３２の下方に収納ボックス３４が画成されている。そして、紙幣搬送路３２に投入された紙幣は、紙幣搬送機構３７により搬送され、識別部３３を通過した後に取り込み通路３５に取り込まれ、リンク機構３６によって収納ボックス３４に積載収納される。一方、前述の紙幣搬送路３２の後部には、紙幣搬送装置４０に設けられた収納搬送経路４３に通ずる投入通路４１に連通する排出通路３８が開口されている。この取り込み通路３５と排出通路３８との接続近傍には、紙幣を取り込み通路３５あるいは排出通路３８方向に搬送するかを選択する収納切り換え機構３９が配設されている。【００２０】  一般に用いられている紙幣処理装置が識別部３３で紙幣の真贋と金種を識別した後に小額紙幣を釣銭用として収納ボックス３４に積載収納しているのに対し、本件発明の紙幣処理装置３０は、小額紙幣を排出通路３８から紙幣搬送装置４０の収納搬送経路４３に送り込み、高額紙幣を収納ボックス３４に積載収納するように設定されている。即ち、紙幣搬送装置４０には、釣銭用の小額紙幣のみが搬送される。【００２１】  紙幣搬送装置４０は、図１、図２に示すように、複数の遊技機１０と、それらの遊技機１０間に配設された遊技媒体貸機２０で構成された遊技機島を互いの遊技機島の裏面が対向するように配列してなる遊技機島組体の上部長手方向に架設されている。（以下、主に一つの遊���機島における小額紙幣の搬送について説明する。他方の遊技機島における小額紙幣の搬送は、紙幣搬送機構の反対側を使用して前述の遊技機島と同様におこなわれる。）【００２２】  この紙幣搬送装置４０は、紙幣処理装置３０と連通する投入通路４１と、投入された紙幣を搬送する紙幣搬送機構４２と、前述の紙幣処理装置３０の下側に形成された釣銭払い戻し通路４６と紙幣搬送機構４１で搬送された小額紙幣を前記釣銭払い戻し通路４６に導出する切り換え機構４５と収納金庫５０とを備えている。【００２３】  紙幣搬送機構４２は、遊技機島の両端近傍に垂直に取り付けられた駆動ギア４２ａと従動ギア４２ｂとその間に巻架された搬送ベルト４２ｃとより構成された駆動側の部材（駆動ギア４２ａ、従動ギア４２ｂ、搬送ベルト４２ｃ）と、一対のローラ４２ｄとその間に巻架されたガイドベルト４２ｅとで構成され、駆動側の部材の搬送ベルト４１ｃとの間に小額紙幣を挟持するガイド側の部材（ローラ４２ｄ、ガイドベルト４２ｅ）とを備えている。【００２４】  そして、このガイドの部材（ローラ４２ｄ、ガイドベルト４２ｅ）は、搬送ベルト４１ｃの周囲に適宜複数個配置されており、搬送ベルト４１ｃの上側とその上方に配置されたガイドの部材（ローラ４２ｄ、ガイドベルト４２ｅ）との間に収納搬送経路４３を形成するとともに、搬送ベルト４１ｃの下側とその下方に配置されたガイド部材（ローラ４２ｄ、ガイドベルト４２ｅ）との間に釣銭搬送経路４４を形成している。従って、小額紙幣は、搬送ベルト４１ｃの上側と下側を利用して搬送される。【００２５】  収納金庫５０は、収納搬送経路４３と連通する搬入機構５１と釣銭搬送経路４４と連通する排出機構５２と搬入機構５１の搬入された小額紙幣を排出機構５２に移動させる移動機構であるスタッカ５３と小額紙幣をガイドするガイドプレート５４を内設した筐体５５とより構成されている。【００２６】  搬入機構５１は、収納搬送経路４３から搬送された小額紙幣を取り込む機構であって、一組の回転ローラ５１ａとその間に巻架された回転ベルト５１ｂとこの回転ローラ５１ａと回転ベルト５１ｂを支持する支持部材５１ｃから成る搬送部と、この搬送部を引き込む方向に付勢するスプリング５１ｄと、カム５１ｅとこのカム５１ｅを回転させるカムベルト５１ｆとで構成されている。従って、収納搬送経路４３からガイドプレート５４に搬送された小額紙幣をカム５１ｅの先端で押し出された搬送部で挟持して所定の位置まで搬送する。【００２７】  排出機構５２は、購入機構５１と同様な一組の回転ローラ５２ａとその間に巻架された回転ベルト５２ｂとこの回転ローラ５２ａと回転ベルト５２ｂを支持する支持部材５２ｃから成る搬送部と、この搬送部を引き込む方向に付勢するスプリング５２ｄと、カム５２ｅとこのカム５２ｅを回転させるカムベルト５ｆｆとで構成されている。そして、搬送部は常態では、小額紙幣をスプリング５２ｄで引き込まれており、小額紙幣が搬入され易く設定されている。従って、搬送部は、搬入機構５１から移動機構であるスタッカ５３に一時貯溜された小額紙幣がガイドプレート５４内に搬送されてきたときに始めてカム５２ｅにより押し出され、ガイドプレート５４との間で小額紙幣���挟持する。その後、回転ベルト５２ｅの回転により釣銭搬送経路４４に送り込まれる。【００２８】  移動機構であるスタッカ５３は、購入機構５１から排出機構５２に至る経路の途中に配設されている。即ち、図７の紙面において上側の形成された投入口５３ａが購入機構５１側に向けられ、下側に形成された吐出口５３ｂが排出機構５２側に向くようにして購入機構５１から排出機構５２に至る経路が垂直になるように配設されている。【００２９】  具体的構成は、図７に示すように、筐体５３ｃの前方（紙幣搬送装置４０側）に開閉蓋５３ｄを設け、その開閉蓋５３ｄと収納ボックス５３ｅとの間に紙幣搬送路５３ｆを形成され、紙幣搬送路５３ｆの後方には、収納ボックス５３ｅが画成されている。そして、この紙幣搬送路５３ｆの上側には前述の投入口５３ａが形成され、下側には、吐出口５３ｂが形成されている。この投入口５３ａ側には、収納ボックス５３ｅに収納された紙幣を再度紙幣搬送路５３ｆに搬入させるための再搬入路５３ｊが形成され、吐出口５３ｂ側には収納ボックス５３ｅと連通する取り込み通路５３ｉが形成されている。また、この紙幣搬送路５３ｆと収納ボックス５３ｅとの間には、小額紙幣を投入口５３ａから吐出口ｂに搬送する搬送機構５３ｇと収納ボックス５３ｅに収納されている小額紙幣を再度、紙幣搬送路５３ｆに搬送する再搬送機構５３ｈと小額紙幣を収納ボックス５３ｅに押し込むリンク機構Ｌが配設されている。更に、紙幣搬送路５３ｆと取り込み通路５３ｉとの近傍には、切り換え機構５３ｋが設けられ、搬送されてきた小額紙幣を吐出口ｂ方向と取り込み通路５３ｉとに振り分けている。尚、取り込み通路５３ｉと再搬入路５３ｊには、各々枚数確認センサＳが配設されている。【００３０】  従って、遊技者が紙幣処理装置３０に投入した紙幣は、紙幣搬送機構３７によって、紙幣搬送路３２の上面に沿って搬送され、識別部３３で真贋、金種が識別された後に、高額紙幣は、収納ボックス３４に積層収納される。小額紙幣は、排出通路３８から投入通路４１を通過して収納搬送経路４３に取り込まれ、収納搬送経路４３に沿って、紙幣搬送機構４２よって収納金庫５０に搬送される。そして、小額紙幣が収納搬送経路４３の端部に達すると小額紙幣の端がガイドプレート５４の間に挿入され、搬入機構５１によって収納金庫５０の内部に引き込まれる。そして、小額紙幣が搬入機構５１の中央に達するとカム５１が回転し回転ベルト５１ｂを紙面から離脱させる。これにより、小額紙幣は、ガイドプレート５４の間を下方に移動して、移動機構であるスタッカ５３の投入口５３ａに投入される。【００３１】  移動機構であるスタッカ５３の投入口５３ａに投入された小額紙幣は、紙幣搬送路５３ｆ内を搬送機構５３ｇによって搬送される。このとき、切り換え機構５３ｋは、吐出口５３ｂを閉じて取り込み通路５３ｉを開放している。従って、小額紙幣は、取り込み通路５３ｉから収納ボックス５３ｅ方向に搬送され、リンク機構Ｌによって収納ボックス５３ｅの内部に押し込まれ収納される。遊技者から釣銭の要求があると再搬送機構５３ｈが回転し一旦収納ボックス５３ｅの内部に収納された小額紙幣を枚数確認センサＳでカウントしながら再搬入路５３ｊから��幣搬送路５３ｆに送り出し搬送機構５３ｇによって吐出口５３ｂから排出機構５２の送り込む。このとき、切り換え機構５３ｋは、吐出口５３ｂを開放して取り込み通路５３ｉを閉じている。【００３２】  小額紙幣が移動機構であるスタッカ５３の吐出口５３ｂから送り出された時点では、排出機構５２の回転ベルト５２ｂは、後方へ移動した状態にある。排出機構５２に小額紙幣が送り込まれると位置センサＳ２でそれを検知してカム５２ｅを回転させ回転ベルト５２ｂを前方に移動させガイドプレート５４との間で小額紙幣を挟持する。その後に回転ベルト５２ｂを回転させ小額紙幣を釣銭搬送経路４４に送り込む。【００３３】  前述した遊技者から釣銭の要求があったときに、再搬送機構５３ｈが回転するが、それと同時に、紙幣搬送機構４２も回転する。そして、切り換え機構４５が作動して遊技者から釣銭の要求があった釣銭払い戻し通路４６を開放し、そこの釣銭搬送経路４４を閉じる。従って、釣銭搬送経路４４に送り込まれた小額紙幣は、釣銭の要求があった遊技媒体貸機２０まで搬送され、釣銭払い戻し通路４６から遊技者に釣銭として払い戻される。【００３４】  しかしながら、この過程中に紙幣処理装置３０から収納搬送経路４３に搬入された小額紙幣は、収納搬送経路４３内を搬送され、移動機構であるスタッカ５３の投入口５３ａまで搬送することはできるが、再搬送機構５３ｈが回転しているため収納ボックス５３ｃ内に収納することはできない。このため、紙幣処理装置３０から収納搬送経路４３に小額紙幣を投入するのを中断している。【００３５】  本発明の一つで、遊技者に釣銭として払い戻されるときにおいても紙幣処理装置３０から収納搬送経路４３への小額紙幣の投入を中断しないように構成している。即ち、紙幣処理装置３０から収納搬送経路４３へ小額紙幣を投入するための投入通路４１に配置した枚数カウントセンサＳ１で常時収納搬送経路４３へ投入された小額紙幣の枚数をカウントし制御部（図示しない）に送信する一方、収納金庫５０の収納ボックス５３ｅへの取り込み通路５３ｉに配置した枚数確認センサＳでカウントした小額紙幣の枚数（収納ボックス５３ｅへの集積枚数）も制御部（図示しない）の送信している。いいかえれば、常に、収納搬送経路４３と収納ボックス５３ｅの合計の枚数が把握されている。従って、まず、遊技者から要求された釣銭と収納搬送経路４３内の小額紙幣とを対比し、収納搬送経路４３内の小額紙幣を優先的に釣銭に充当する。即ち、移動機構であるスタッカ５３の切り換え機構５３ｋを開放し、搬入機構５１から排出機構５２に直接小額紙幣を送り込んで釣銭の要求に対処する。このように処置することによって、収納搬送経路４３が稼動し紙幣処理装置３０から収納搬送経路４３へ投入された小額紙幣をも釣銭に充当でき、紙幣処理装置３０からの小額紙幣を一旦停止させる必要がない。このような処置をとったにも係らず釣銭が不足していた場合に再搬送機構５３ｈを稼動させ、収納ボックス５３ｅ内に収納されている小額紙幣を釣銭として払い出す。また、収納ボックス５３ｃ内の小額紙幣が少なくなった場合、釣銭の要求が多く収納ボックス５３ｃから送り出す時間がない場合などでも同様に切り換え機構５３ｋを開放し、搬入機構５１から排出機構５２に直接小額紙幣を送り込んで釣銭の要求に対処することも可能である。【００３６】  つぎに、本発明の紙幣搬送システム１００の作動ステップを図９のフローチャートを参照して説明する。
ＳＴ１（開店時）：開店前に収納金庫５０内に配設された移動機構であるスタッカ５３の収納ボックス５３ｃ内に一定量の小額紙幣を収納する。この小額紙幣の量は、紙幣処理装置３０から投入された小額紙幣が収納ボックス５３ｃ内に充分集積されないうちに釣銭の要求があった場合にその要求に対処できる量である。
ＳＴ２（遊技スタート）：遊技者が紙幣処理装置３０に紙幣を投入すると、センサ（図示しない）がその投入を確認して紙幣搬送機構３７を駆動させ、紙幣を紙幣搬送路３２内に搬送する。
ＳＴ３（紙幣識別）：紙幣搬送路３２内に取り込まれた紙幣は、識別部３３で真贋と金種が識別される。
ＳＴ４（高額紙幣の集積）：識別の結果、高額紙幣の場合には、常時、収納切り換え機構３９が排出通路３８を閉鎖しているため、収納切り換え機構３９にガイドされ取り込み通路３５から取り込まれ、リンク機構３６で収納ボックス３４に押し込まれ積載収納される。
ＳＴ５（小額紙幣＝釣銭の収集）：識別の結果、小額紙幣の場合には、収納切り換え機構３９が作動して排出通路３８を開放し、紙幣を紙幣搬送装置４０方向に送り出す。そして、釣銭として使用するために収納搬送経路４３内を搬送され収納金庫５０に至る。
ＳＴ６（小額紙幣＝釣銭搬入配置）：紙幣処理装置３０の排出通路３８から送り出された小額紙幣は、投入通路４１から紙幣搬送装置４０の収納搬送経路４３内に投入され、紙幣搬送機構４１の回動によって搬送ベルト４２ｃとガイドベルト４２ｅの間に形成された収納搬送経路４３内に沿って収納金庫５０に搬送される。
ＳＴ７（小額紙幣＝釣銭搬入可否チェック）：回収金庫５０への搬入可否をチェックし、搬入不可の場合には、次の処置をとる。
１・・上流から収納搬送経路４３内に搬入された小額紙幣と重なる恐れがあるとき、  このときは、紙幣処理装置３０内で一旦小額紙幣の搬入を停止させ、上流から搬送され  た小額紙幣の通過を待つ。
２：回収金庫５０内に配設された移動機構であるスタッカ５３が満杯の場合、このと  きには、システムを一旦停止し人的処置をする。
３・・システム故障、この場合にはシステムを停止させる。その後、点検、紙幣の返  却などの必要な処置を実施する。
ＳＴ８（小額紙幣の収納金庫への取り込み）：回収金庫５０への搬入が可となった場合には、収納搬送経路４３から送り込まれた小額紙幣が収納金庫５０の内部に配設されている搬入機構５１で中央に配置される。
ＳＴ９（小額紙幣の収納金庫内での移動）：搬入機構５１の中央に位置している小額紙幣は、搬入寄港１の後退によって移動機構であるスタッカ５３の投入口５３ａに投入される。投入された小額紙幣は、搬送機構５３ｇにより紙幣搬送路５３ｆ内を搬送され、取り込み通路５３ｉから収納ボックス５３ｅ内に取り込まれ積層収納される。
ＳＴ１０（精算＝釣銭要求）：つぎに、遊技者が遊技媒体貸機２０に設けられた精算ボタン２２を操作して釣銭を要求した場合には、残額表示部２４に表示された金額（積算制御部（（図示しない））で投入金額と使用金額の積算結果）に基づいて紙幣が払い出される。
ＳＴ１１（釣銭の有無確認）：ここで、システム内において、釣銭の要求枚数とシステム内に存在している小額紙幣の枚数を比較して釣銭の払い出しが可能か否かの確認を行なう。
まず、釣銭の要求枚数と収納搬送経路４３中に存在する小額紙幣の枚数を比較して払い出しが可能と判断された場合には、切り換え機構５３ｋを操作して、吐出口５３ｂを開放する。そして、小額紙幣を搬入機構５１から直接排出機構５２に移動して釣銭搬送経路４４に排出する。つぎに、払い出しが不可と判断された場合には、  移動機構であるスタッカ５３の収納ボックス５３ｅ内に収納されている小額紙幣の枚数を加えて要求釣銭の枚数とが比較され、釣銭が不足していないかが確認され、払い出しが可能な場合に再搬送機構５３ｈから小額紙幣が排出機構５２へ移動して釣銭搬送経路４４に排出する。払い出しが不可の場合には遊技媒体貸機２０の共通表示部２３にその旨が表示される。
ＳＴ１２（収納ボックスから排出機構への移動）：収納ボックス５３ｅ内に取り込まれ積層収納された小額紙幣は、遊技者の釣銭要求に応じて、再搬送機構５３ｈが駆動し、再搬入路５３ｊから紙幣搬送路５３ｆに再投入された後に排出機構５２への移動する。このとき、回転ベルト５２ｂは、後退しているので小額紙幣は、回転ベルト５２ｂとガイドプレート５４との間に落下配置される。そして、その状態をセンサで確認し回転ベルト５２ｂが前進し小額紙幣を挟持し、釣銭搬送経路４４に排出する。
ＳＴ１３（小額紙幣＝釣銭の払い出し）：釣銭が不足でない場合には、釣銭搬送経路４４に配設された切り換え機構４５を切り換えて、搬送経路４４内を搬送されてきた小額紙幣を釣銭払い戻し通路４６に導き遊技者に釣銭を払いだす。当然、この釣銭は、釣銭払い戻し通路４６の入口こ配置された枚数カウントセンサＳ１でカウントチェックされる。
ＳＴ１４（釣銭不足）：複数の釣銭要求によって釣銭不足が生じた場合には、システムを停止して人的処置をとる。
ＳＴ１５（閉店時における紙幣の回収）：小額紙幣の回収は、移動機構であるスタッカ５３の収納ボックス５３ｅから回収する。また、高額紙幣の回収は、各遊技媒体貸機２０の上部に配設されている紙幣処理装置３０の収納ボックス３４から取り出すことによって完了する。
【図面の簡単な説明】
【００３７】
【図１】  本発明の紙幣搬送システムを示した正面図である。
【図２】  本発明の紙幣搬送システムを示した平面図である。
【図３】  本発明の紙幣搬送システムを示した要部拡大平面図である。
【図４】  収納金庫の要部縦断面図である。
【図５】  収納金庫の正面図である。
【図６】  紙幣処理装置を示した概略水平方向断面図である。
【図７】  移動機構（スタッカ）を示した概略断面図である。
【図８】  遊技媒体貸機を示した正面図である。
【図９】  本発明の作動手順を示したフローチャートである。
【符号の説明】
【００３８】  １００  紙幣搬送システム
１０  遊技機
２０  遊技媒体貸機
２１  貸出ボタン
２２  精算ボタン
２３  共通表示部
２４  残額表示部
２５  払出ノズル
３０  紙幣処理装置
３１  筐体
３１ａ  開閉蓋
３２  紙幣搬送路
３３  識別部
３４  収納ボックス
３５  取り込み通路
３６  リンク機構
３７  紙幣搬送機構
３８  排出通路
３９  収納切り換え機構
４０  紙幣搬送装置
４１  投入通路
４２  紙幣搬送機構
４２ａ  駆動ギア
４２ｂ  従動ギア
４２ｃ  搬送ベルト
４２ｄ  ローラ
４２ｅ  ガイドベルト
４３  収納搬送経路
４４  釣銭搬送経路
４５  切り換え機構
４６  釣銭払い戻し通路
５０  収納金庫
５１  搬入機構
５１ａ  回転ローラ
５１ｂ  回転ベルト
５１ｃ  支持部材
５１ｄ  スプリング
５１ｅ  カム
５１ｆ  カムベルト
５２  排出機構
５２ａ  回転ローラ
５２ｂ  回転ベルト
５２ｃ  支持部材
５２ｄ  スプリング
５２ｅ  カム
５２ｆ  カムベルト
５３  移動機構（スタッカ）
５３ａ  投入口
５３ｂ  吐出口
５３ｃ  筐体
５３ｄ  開閉蓋
５３ｅ  収納ボックス
５３ｆ  紙幣搬送路
５３ｇ  搬送機構
５３ｈ  再搬送機構
５３ｉ  取り込み通路
５３ｊ  再搬入路
５３ｋ  切り換え機構
Ｌ  リンク機構
５４  ガイドプレート
５５  筐体
Ｍ  小額紙幣
Ｓ  枚数確認センサ
Ｓ１  枚数カウントセンサ
Ｓ２  位置センサ
【図１】
2007207209.tif 000003
【図２】
2007207209.tif 000004
【図３】
2007207209.tif 000005
【図４】
2007207209.tif 000006
【図５】
2007207209.tif 000007
【図６】
2007207209.tif 000008
【図７】
2007207209.tif 000009
【図８】
2007207209.tif 000010
【図９】
2007207209.tif 000011